(57)【要約】【課題】各々の照明装置が個別に判断することで、各々の照明装置の状態に応じて点灯することができる照明システム及び照明制御方法を提供する。【解決手段】照明システム１ａは、複数の照明装置３０と、各々の照明装置３０に対して電力を一括して供給する集中電源装置２０と、各々の照明装置３０に制御コマンドを集中電源装置２０を介して送信するライトコントローラ１０とを備える。また、各々の照明装置３０は、発光モジュール３１と、発光モジュール３１の発する光を制御する照明制御部３２と、周囲の明るさを示す第１明るさ情報を出力するセンサ３３とを有する。そして、各々の照明制御部３２は、制御コマンドと第１の明るさ情報とによって、発光モジュール３１の点灯を制御する。【選択図】図３
2020098732.tif 000002
【特許請求の範囲】
【請求項１】
発光モジュールと、前記発光モジュールの発する光を制御する照明制御部と、周囲の明るさを示す第１明るさ情報を出力するセンサとを有する照明装置であって、
前記照明装置は、集中電源装置によって電力が供給され、
前記照明制御部は、前記集中電源装置から送信される、前記照明装置が発する光の明るさを指定する制御コマンドと、前記第１明るさ情報に示される明るさとによって、前記発光モジュールの点灯を制御する、
照明装置。
【請求項２】
前記照明制御部は、前記第１明るさ情報に示される明るさと比較するための閾値を有し、
前記照明制御部は、前記第１明るさ情報に示される明るさと前記閾値とを比較した結果に応じて、前記制御コマンドに指示される明るさを変化させて、前記発光モジュールの点灯を制御する、
請求項１に記載の照明装置。
【請求項３】
複数の前記請求項１又は２に記載の照明装置と、
各々の前記照明装置に対して電力を一括して供給する前記集中電源装置と、
各々の前記照明装置が発する光の明るさを指定する前記制御コマンドを、前記集中電源装置を介して各々の前記照明装置に送信する制御装置と、を備える、
照明システム。
【請求項４】
各々の照明装置は、さらに、前記集中電源装置と通信する通信部を有し、
各々の前記通信部は、有線通信及び無線通信の少なくとも一方によって前記集中電源装置と通信可能に接続される、
請求項３に記載の照明システム。
【請求項５】
各々の前記通信部は、各々の前記照明装置が発する光の明るさを示す点灯情報を、前記集中電源装置に送信し、
前記集中電源装置は、各々の前記通信部から送信された各々の前記照明装置が発する光の明るさを示す点灯情報を集約し、前記制御装置に送信し、
前記制御装置は、前記集中電源装置から受信した各々の前記点灯情報を表示部に出力する、
請求項３又は４に記載の照明システム。
【請求項６】
複数の照明装置が発する光の明るさを指定する制御コマンドを、各々の前記照明装置に送信することと、
各々の前記照明装置の周囲の明るさを示す第１明るさ情報に示される明るさに応じて、
前記制御コマンドに指示される明るさを変化させて、各々の前記照明装置の点灯を制御することとを含む、
照明制御方法。
【発明の詳細な説明】
【技術分野】
【０００１】
本開示は、照明装置、照明システム及び照明制御方法に関する。
【背景技術】
【０００２】
従来の照明装置として特許文献１には、灯具に照明制御内容を実行させるための照明制御信号を生成する信号生成部を備え、灯具の点灯状態を制御することができる照明制御システムが開示されている。
【先行技術文献】
【特許文献】
【０００３】
【特許文献１】特開２０１８−９８１５５号公報
【発明の概要】
【発明が解決しようとする課題】
【０００４】
従来の照明制御システムにおいて、複数の灯具を個別に制御する場合、使用者が各々の灯具の点灯状態を確認しながら個別に設定している。このため、複数の灯具によって所望の点灯を行う場合、設定作業が煩雑になる。
【０００５】
そこで、各々の照明装置が個別に判断することで、各々の照明装置の状態に応じて点灯することができる照明装置、照明システム及び照明制御方法を提供することを目的とする。
【課題を解決するための手段】
【０００６】
上記目的を達成するために、本開示に係る照明装置の一態様は、発光モジュールと、前記発光モジュールの発する光を制御する照明制御部と、周囲の明るさを示す第１明るさ情報を出力するセンサとを有する照明装置であって、前記照明装置は、集中電源装置によって電力が供給され、前記照明制御部は、前記集中電源装置から送信される、前記照明装置が発する光の明るさを指定する制御コマンドと、前記第１明るさ情報に示される明るさとによって、前記発光モジュールの点灯を制御する。
【０００７】
また、上記目的を達成するために、本開示に係る照明システムの一態様は、複数の前記請求項１又は２に記載の照明装置と、各々の前記照明装置に対して電力を一括して供給する前記集中電源装置と、各々の前記照明装置が発する光の明るさを指定する前記制御コマンドを、前記集中電源装置を介して各々の前記照明装置に送信する制御装置と、を備える。
【０００８】
また、上記課題を解決するために、本開示に係る照明制御方法の一態様は、複数の照明装置が発する光の明るさを指定する制御コマンドを、各々の前記照明装置に送信することと、各々の前記照明装置の周囲の明るさを示す第１明るさ情報に示される明るさに応じて、前記制御コマンドに指示される明るさを変化させて、各々の前記照明装置の点灯を制御することとを含む。
【発明の効果】
【０００９】
本開示に係る照明装置等によれば、各々の照明装置が個別に判断することで、各々の照明装置の状態に応じて点灯することができる。
【図面の簡単な説明】
【００１０】
【図１】図１は、実施の形態１に係る照明システムを例示する模式図である。
【図２】図２は、実施の形態１に係る照明システムを例示するブロック図である。
【図３】図３は、実施の形態１に係る照明システムの動作を例示するシーケンス図である。
【図４】図４は、実施の形態１に係る照明装置の動作を例示するフローチャートである。
【図５】図５は、実施の形態２に係る照明システムを例示するブロック図である。
【図６】図６は、実施の形態２に係る照明システムの動作を例示するシーケンス図である。
【図７】図７は、実施の形態２に係る照明装置の動作を例示するフローチャートである。
【発明を実施するための形態】
【００１１】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態、ステップ、ステップの順序等は、一例であり、本開示を限定する趣旨ではない。よって、以下の実施の形態における構成要素のうち、本開示の最上位概念を示す独立請求項に記載されていない構成要素については、任意の構成要素として説明される。
【００１２】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００１３】
まず、本実施の形態に係る照明装置、照明システム及び照明制御方法について説明する。
【００１４】
（実施の形態１）
［構成］
図１は、実施の形態１に係る照明システム１ａを例示する模式図である。図２は、実施の形態１に係る照明システム１ａを例示するブロック図である。
【００１５】
図１及び図２に示すように、照明システム１ａでは、周囲の照度に基づいて複数の照明装置３０の各々が個別に判断し、判断した結果に基づいて所定の明るさに点灯するシステムである。照明システム１ａでは、施設の屋外に複数の照明装置３０が設置される。本実施の形態では、４台の照明装置３０ａ、３０ｂ、３０ｃ、３０ｄを例示する。照明装置３０ａ、３０ｃ、３０ｄは分岐を介して、照明装置３０ｂは照明装置３０ａを介して、それぞれ集中電源装置２０と接続される。照明装置３０は、照明装置３０ａ、３０ｂ、３０ｃ、３０ｄの総称である。照明システム１ａは、施設を構成する構造物及び設備、施設の周囲に配置される構造物及び設備を照明することで、施設と施設周囲の空間全体とを演出する。照明装置３０は、屋内に設置されていてもよく、分岐を介さず、直接集中電源２０と接続されていてもよい。
【００１６】
照明システム１ａは、ライトコントローラ１０と、集中電源装置２０と、複数の照明装置３０とを備える。
【００１７】
［ライトコントローラ１０］
ライトコントローラ１０は、例えば施設の屋内に設置される制御装置である。ライトコントローラ１０は、例えば、商用電源と電気的に接続され、商用電源から電力が供給される。また、ライトコントローラ１０は、集中電源装置２０と通信可能に接続される。本実施の形態では、ライトコントローラ１０と集中電源装置２０とが有線通信されるが、無線通信されてもよい。
【００１８】
ライトコントローラ１０は、複数の照明装置３０に対して、各々の照明装置３０が発する光の明るさを制御するための制御コマンドを送信する。具体的には、ライトコントローラ１０は、各々の照明装置３０が発する光の明るさを指定する制御コマンドを、集中電源装置２０を介して各々の照明装置３０に送信する。より具体的には、ライトコントローラ１０は、同じ制御コマンドを一括して各々の照明装置３０に送信する。ライトコントローラ１０は、制御コマンドを所定期間ごとに、又は、所定時刻ごとに各々の照明装置３０に対して送信する。
【００１９】
ここで、制御コマンドは、各々の照明装置３０が発する光の明るさを指定する第１明るさ情報を含むコマンドである。第１明るさ情報は、例えば、調光レベルを示す情報等である。また、制御コマンドには、調色レベルを示す情報、照明装置３０の点灯期間を示す情報等が含まれていてもよい。
【００２０】
さらに、制御コマンドには、各々の照明装置３０の識別情報が含まれていてもよい。この場合、各々の識別情報と各々の第１明るさ情報とを一対一で紐付けて、各々の照明装置３０が発する光の明るさを個別に指定することができる。
【００２１】
本実施の形態では、ライトコントローラ１０は、各々の照明装置３０に対して一括して制御コマンドを送信するが、これには限定されない。例えば、ライトコントローラ１０は、ユーザが指定した照明装置３０に対してのみ制御コマンドを送信してもよい。
【００２２】
また、ライトコントローラ１０には、表示部１１が接続される。ライトコントローラ１０は、各々の照明装置３０が実際に点灯した明るさを示す点灯情報を、各々の照明装置３０から取得する。ライトコントローラ１０は、取得した各々の点灯情報を表示部１１に出力する。
【００２３】
表示部１１は、点灯情報を表示するモニタである。表示部１１は、例えば、液晶ディスプレイ、又は、有機ＥＬディスプレイ等である。なお、表示部１１は、スマートフォン、又は、タブレット端末等の表示端末装置であってもよい。
【００２４】
本実施の形態では、表示部１１を有する例であるが、ライトコントローラ１０は、商用電源からの入力波形に所定の位相制御を施して出力するダイヤル式の調光器であってもよい。このとき、制御コマンドは、所定の位相制御を施した出力波形を指す。
【００２５】
［集中電源装置２０］
集中電源装置２０は、例えば施設の屋外に設置され、各々の照明装置３０に対して電力を一括して供給する電源装置である。集中電源装置２０は、交流電源である商用電源と電気的に接続される。また、集中電源装置２０は、電源用口出し線等の配線を介して各々の照明装置３０と電気的に接続される。
【００２６】
集中電源装置２０は、ＡＣ／ＤＣコンバータ等の電源回路を有する。集中電源装置２０は、商用電源から供給される交流電力を直流電力に電力変換し、配線を介して、電力変換した直流電力を各々の照明装置３０に供給する。つまり、集中電源装置２０は、各々の照明装置３０が動作するための直流電力を、各々の照明装置３０に供給する。本実施の形態では、ＡＣ１００Ｖの交流電力をＤＣ２４Ｖの直流電力に変換し、配線を介して各々の照明装置３０に供給する。
【００２７】
集中電源装置２０は、各々の照明装置３０と通信可能に接続される。本実施の形態では、集中電源装置２０と各々の照明装置３０とが有線通信されるが、無線通信されてもよい。集中電源装置２０は、ライトコントローラ１０から取得した制御コマンドを各々の照明装置３０に送信したり、各々の照明装置３０から取得した点灯情報をライトコントローラ１０に送信したりする中継器としての役割も備える。
【００２８】
本実施の形態では、集中電源２０は、商用電源によって電力を供給されて駆動するが、ライトコントローラ１０によって位相制御された電力によって駆動してもよい。
【００２９】
［照明装置３０］
各々の照明装置３０は、施設及び施設周囲の空間全体を照明することができるように、施設の屋外に設置される。各々の照明装置３０は、集中電源装置２０と配線を介して電気的に接続され、集中電源装置２０から電力が供給される。
【００３０】
各々の照明装置３０は、発光モジュール３１と、センサ３３と、照明制御部３２と、通信部３４とを有する。以下では、各々の照明装置３０は、それぞれ異なる照明装置３０であるが、それぞれが同等の構成を有するため、特に言及しない限り、１つの照明装置３０について説明する。
【００３１】
発光モジュール３１は、照明装置３０が周囲を照明するための光を出射する。発光モジュール３１は、光を放射状に発するＬＥＤ（Ｌｉｇｈｔ  Ｅｍｉｔｔｉｎｇ  Ｄｉｏｄｅ）を有するモジュールである。発光モジュール３１は、例えば白色光を出射するように構成される光源と、光源を実装するための実装基板とを有する。
【００３２】
光源は、ＣＯＢ（Ｃｈｉｐ  Ｏｎ  Ｂｏａｒｄ）型ＬＥＤで構成され、実装基板と、実装基板上に実装されたベアチップ（ＬＥＤチップ）である複数の青色ＬＥＤと、それら青色ＬＥＤを封止し、黄色蛍光体を含む封止部材とを有する。実装基板には、光源を発光させるために、直流電流を集中電源装置２０から受電する電極端子が形成される。電極端子には、配線に接続されたリード線等を介して直流電力が供給される。
【００３３】
センサ３３は、周囲の明るさを検知し、検知した周囲の明るさを示す第１明るさ情報を照明制御部３２に出力する照度センサ（明るさセンサともいう）である。
【００３４】
照明制御部３２は、発光モジュール３１の発する光を制御するコントローラである。具体的には、照明制御部３２は、制御コマンドに指示される明るさと、取得した第１明るさ情報とに基づいて、所定条件を満たす場合に、制御コマンドに指示される明るさよりも、第１明るさ情報に示される明るさを優先させて発光モジュール３１の点灯を制御する。
【００３５】
所定条件は、第１明るさ情報に示される明るさが第１閾値未満となる条件を含む。この所定条件を満たす場合、各々の照明制御部３２は、制御コマンドに指示される明るさよりも、第１明るさ情報に示される明るさ（後述する第１の明るさ）を優先させて、発光モジュール３１の点灯を制御する。つまり、センサ３３の周囲が暗い場合、制御コマンドに指示される明るさよりも明るく点灯するように、照明制御部３２は、発光モジュール３１の発する光を制御する。これにより発光モジュール３１は、制御コマンドに指示される明るさよりも明るく点灯する。また、第１閾値は、閾値の一例である。
【００３６】
また、所定条件は、第１明るさ情報に示される明るさが第１閾値よりも大きい第２閾値以上となる条件を含む。この所定条件を満たす場合、各々の照明制御部３２は、制御コマンドに指示される明るさよりも、第１明るさ情報に示される明るさ（後述する第２の明るさ）を優先させて、発光モジュール３１の点灯を制御する。つまり、センサ３３の周囲が明るい場合、制御コマンドに指示される明るさよりも暗く点灯するように、照明制御部３２は、発光モジュール３１の発する光を制御する。これにより発光モジュール３１は、制御コマンドに指示される明るさよりも暗く点灯する。また、第２閾値は、閾値の一例である。
【００３７】
なお、第１閾値及び第２閾値は、ライトコントローラ１０を介して個別に設定することができてもよく、各々の照明装置３０を操作することで個別に設定することができてもよい。
【００３８】
また、照明制御部３２は、第１明るさ情報に示される明るさに応じて、ライトコントローラ１０から制御コマンドを取得しても、これを破棄する。照明制御部３２は、制御コマンドに指示される明るさで発光モジュール３１を点灯させない場合、各々の照明装置３０が発する光の明るさを示す点灯情報を生成し、通信部３４を介して、生成した点灯情報をライトコントローラ１０に送信する。
【００３９】
また、照明制御部３２は、調光回路によって、発光モジュール３１の光出力を制御することで調光率を変化させる。さらに、照明制御部３２は、調色回路によって、発光モジュール３１の光出力を制御することで、調色率を変化させたりすることもできる。照明制御部３２は、発光モジュール３１が発する色温度を高くしたり、低くしたりすることもできる。
【００４０】
通信部３４は、有線通信及び無線通信の少なくとも一方によってライトコントローラ１０と通信可能に接続される。通信部３４は、ライトコントローラ１０と通信する通信モジュールである。通信部３４は、集中電源装置２０を介して、ライトコントローラ１０から制御コマンドを取得する。また、通信部３４は、集中電源装置２０を介して、点灯情報をライトコントローラ１０に出力する。
【００４１】
［動作］
次に、照明システム１ａ及び照明制御方法の動作について説明する。
【００４２】
図３は、実施の形態１に係る照明システム１ａの動作を例示するシーケンス図である。
【００４３】
図３に示すように、集中電源装置２０は、各々の配線に対応した各々の照明装置３０に電力を供給している状態である。
【００４４】
まず、ライトコントローラ１０は、集中電源装置２０に第１の制御コマンドを送信する（Ｓ１１ａ）。なお、集中電源装置２０は、第１の制御コマンドを受信してから各々の照明装置３０に対して電力を供給してもよい。第１の制御コマンドは、上述の制御コマンドの一例である。
【００４５】
集中電源装置２０は、取得した第１の制御コマンドを各々の照明装置３０に送信する（Ｓ１１ｂ）。
【００４６】
また、各々の照明装置３０のセンサ３３は、周囲の明るさを検知し、検知した周囲の明るさを示す第１明るさ情報を照明制御部３２に出力する（Ｓ３１）。
【００４７】
各々の照明装置３０の照明制御部３２は、第１の制御コマンド及び第１明るさ情報を取得すると、第１の制御コマンドに指示される明るさと、取得した第１明るさ情報とに基づいて、発光モジュール３１の点灯を制御する（Ｓ３３）。
【００４８】
また、各々の照明装置３０は、第１の制御コマンド応じた明るさで点灯する光の明るさを示す点灯情報と送信元の照明装置３０に予め割り当てられた固有の識別子を集中電源装置２０に送信する（Ｓ３４ａ）。
【００４９】
集中電源装置２０は、各々の照明装置３０から受信した点灯情報と識別子とをライトコントローラ１０に送信する（Ｓ３４ｂ）。
【００５０】
ライトコントローラ１０は、受信した各々の照明装置３０の点灯情報と識別子とを表示部１１に表示する（Ｓ１３）。つまり、表示部１１は、識別子に紐付けられた照明装置３０の点灯情報の一覧を表示する。
【００５１】
また、照明装置３０の点灯状態がユーザの意図した点灯状態と異なる場合、第２の制御コマンドをライトコントローラ１０に入力することで、ライトコントローラ１０は、第２の制御コマンドを集中電源装置２０に送信する（Ｓ１４ａ）。第２の制御コマンドは、上述の制御コマンドの一例であり、第１の制御コマンドと異なるコマンドである。
【００５２】
集中電源装置２０は、受信した第２の制御コマンドを各々の照明装置３０に送信する（Ｓ１４ｂ）。
【００５３】
各々の照明装置３０の照明制御部３２は、第２の制御コマンドを取得すると、第２の制御コマンドに指示される明るさに基づいて、発光モジュール３１の点灯を制御する（Ｓ３４）。そして、照明システム１ａは、処理を終了する。
【００５４】
次に、照明装置３０の動作について図４を用いて説明する。図４は、実施の形態１に係る照明装置３０の動作を例示するフローチャートである。図４では、より詳細に図３のステップＳ３３の処理を説明する。
【００５５】
図４に示すように、各々の照明装置３０のセンサ３３は、周囲の明るさを検知し、検知した周囲の明るさを示す第１明るさ情報を照明制御部３２に出力する（Ｓ３１）。
【００５６】
各々の照明装置３０は、集中電源装置２０を介して、ライトコントローラ１０から第１の制御コマンドを受信する（Ｓ１１ｂ）。
【００５７】
各々の照明装置３０の照明制御部３２は、ステップＳ１１ｂの第１の制御コマンド及びステップＳ３１の第１明るさ情報に基づいて、第１明るさ情報に示される明るさが第１閾値未満であるかどうかを判定する（Ｓ３３ａ）。
【００５８】
第１明るさ情報に示される明るさが第１閾値未満であれば（Ｓ３３ａでＹＥＳ）、照明制御部３２は、第１の制御コマンドに指示される明るさよりも明るい第１の明るさで、発光モジュール３１を点灯させる（Ｓ３３ｂ）。ステップＳ３３ａでＹＥＳの場合は、第１明るさ情報に示される明るさと第１閾値とを比較した結果の一例である。
【００５９】
上述のように、照明装置３０の点灯状態がユーザの意図した点灯状態と異なる場合、ライトコントローラ１０が第２の制御コマンドを出力する。このため、各々の照明装置３０は、集中電源装置２０を介して、ライトコントローラ１０から第２の制御コマンドを受信する（Ｓ１４ｂ）。
【００６０】
各々の照明装置３０の照明制御部３２は、第２の制御コマンドを取得すると、第２の制御コマンドに指示される明るさに基づいて、発光モジュール３１の点灯を制御する（Ｓ３５）。
【００６１】
また、第１明るさ情報に示される明るさが第１閾値以上であれば（Ｓ３３ａでＮＯ）、照明制御部３２は、第１明るさ情報に示される明るさが第２閾値以上であるかどうかを判定する（Ｓ３３ｃ）。ステップＳ３３ａでＮＯの場合は、第１明るさ情報に示される明るさと第１閾値とを比較した結果の一例である。
【００６２】
第１明るさ情報に示される明るさが第２閾値未満であれば（Ｓ３３ｃでＮＯ）、照明制御部３２は、第１の制御コマンドに指示される明るさで、発光モジュール３１を点灯させる（Ｓ３３ｄ）。そして、ステップＳ１４ｂに進み同様の処理が行われる。ステップＳ３３ＣでＮＯの場合は、第１明るさ情報に示される明るさと第２閾値とを比較した結果の一例である。
【００６３】
第１明るさ情報に示される明るさが第２閾値以上であれば（Ｓ３３ｃでＹＥＳ）、照明制御部３２は、第１の制御コマンドに指示される明るさよりも暗い第２の明るさで、発光モジュール３１を点灯させる（Ｓ３３ｅ）。そして、ステップＳ１４ｂに進み同様の処理が行われる。ステップＳ３３ＣでＹＥＳの場合は、第１明るさ情報に示される明るさと第２閾値とを比較した結果の一例である。
【００６４】
ここで、各々の照明装置３０は、予め割り当てられた固有の識別子とステップＳ３３ｂ、Ｓ３３ｅ、Ｓ３３ｄにより決定された点灯情報とを集中電源装置２０に送信する。集中電源装置２０は、各々の照明装置３０から受信した点灯情報と識別子とをライトコントローラ１０に送信する。ライトコントローラ１０の表示部１１には、識別子に対応する各々の照明装置３０の点灯情報が表示される。
【００６５】
このとき、上述のシーケンスによって決定した各々の照明装置３０の点灯状態（ステップＳ３３ｂ、ステップ３３ｅ、ステップ３３ｄ）がユーザの意図した点灯状態と異なる場合、第２の制御コマンドをライトコントローラ１０に入力することで、ライトコントローラ１０は、集中電源装置２０を介し、各々の照明装置３０に第２の制御コマンドを送信する。各々の照明装置３０に送信される第２の制御コマンドには、各々の照明装置３０の識別子、又は、判定結果（第１明るさ情報が、第１閾値未満のもの、又は、第２閾値以上のもの等）と、第１の制御コマンドに指示される明るさ情報とを含む。
【００６６】
各々の照明装置３０の照明制御部３２は、第２の制御コマンドに含まれる識別子、又は、判定結果に該当する場合、第２の制御コマンドに指示される明るさ（第１の制御コマンドに指示される明るさ）で、発光モジュール３１を点灯させる。
【００６７】
そして、照明装置３０は、処理を終了する。
【００６８】
なお、本実施の形態は、図３及び図４の照明システム１ａ及び照明装置３０の動作を説明したが、発光モジュール３１の点灯状態が第１の制御コマンド及び第１明るさ情報に基づいて決定される限りには、第２の制御コマンドと本動作に限定されない。つまり、図３及び図４のいずれかに示されるステップＳ１４ａ、Ｓ１４ｂ、Ｓ３５は省略されてもよい。
【００６９】
また、例えば、第１明るさ情報と第１閾値又は第２閾値の比率とを、第１の制御コマンドに指示される明るさに乗じることによって点灯状態を決定してもよく、照明装置３０の初期設定により第１閾値及び第２閾値を変更できてもよい。さらに、第１閾値又は第２閾値のいずれか一方の判定だけでもよく、集中電源装置２０に照明装置３０の点灯状態を送信しなくてもよい。
【００７０】
［作用効果］
次に、本実施の形態における照明装置３０、照明システム１ａ及び照明制御方法の作用効果について説明する。
【００７１】
上述したように、本実施の形態に係る照明装置３０は、発光モジュール３１と、発光モジュール３１の発する光を制御する照明制御部３２と、周囲の明るさを示す第１明るさ情報を出力するセンサ３３とを有する照明装置３０である。また、照明装置３０は、集中電源装置２０によって電力が供給される。そして、照明制御部３２は、集中電源装置２０から送信される、照明装置３０が発する光の明るさを指定する制御コマンドと、第１明るさ情報に示される明るさとによって、発光モジュール３１の点灯を制御する。
【００７２】
これによれば、各々の照明装置３０は、制御コマンドのみで明るさが指示されるわけではなく、制御コマンドに指示される明るさよりも、明るく点灯したり、暗く点灯したりすることができる。このため、各々の照明装置３０は、各々の周囲の環境に応じて点灯することができる。
【００７３】
したがって、この照明装置３０では、各々の照明装置３０が個別に判断することで、各々の照明装置３０の状態に応じて点灯することができる。
【００７４】
特にこの照明装置３０では、各々の照明装置３０が発する光の明るさを設定する手間を省くことができる。また、この照明装置３０では、全ての照明装置３０が単に点灯するだけではなく、照明装置３０の状況に応じて空間全体を照明するため、空間全体の明るさの見栄えをよくすることができる。
【００７５】
また、本実施の形態に係る照明システム１ａは、複数の照明装置３０と、各々の照明装置３０に対して電力を一括して供給する集中電源装置２０と、各々の照明装置３０が発する光の明るさを指定する制御コマンドを、集中電源装置２０を介して各々の照明装置３０に送信するライトコントローラ１０とを備える。
【００７６】
この照明システム１ａにおいても上述と同様の作用効果を奏する。
【００７７】
また、本実施の形態に係る照明制御方法は、複数の照明装置３０が発する光の明るさを指定する制御コマンドを、各々の照明装置３０に送信することと、各々の照明装置３０の周囲の明るさを示す第１明るさ情報に示される明るさに応じて、制御コマンドに指示される明るさを変化させて、各々の照明装置３０の点灯を制御することとを含む。
【００７８】
この照明制御方法においても上述と同様の作用効果を奏する。
【００７９】
より詳細に、本実施の形態に係る照明装置３０において、照明制御部３２は、第１明るさ情報に示される明るさと比較するための閾値を有する。そして、照明制御部３２は、第１明るさ情報に示される明るさと閾値とを比較した結果に応じて、制御コマンドに指示される明るさを変化させて、発光モジュール３１の点灯を制御する。
【００８０】
これによれば、制御コマンドに指示される明るさよりも照明装置３０の周囲が明るければ、照明装置３０が暗く点灯したり、制御コマンドに指示される明るさよりも照明装置３０の周囲が暗ければ、照明装置３０が明るく点灯したりする。
【００８１】
また、本実施の形態に係る照明システム１ａにおいて、各々の照明装置３０は、さらに、集中電源装置２０と通信する通信部３４を有する。各々の通信部３４は、有線通信及び無線通信の少なくとも一方によって集中電源装置２０と通信可能に接続される。
【００８２】
これによれば、施設および施設の周囲の環境に応じて、ライトコントローラ１０と各々の照明装置３０との通信を行うことができる。
【００８３】
また、本実施の形態に係る照明システム１ａにおいて、各々の通信部３４は、各々の照明装置３０が発する光の明るさを示す点灯情報を、集中電源装置２０に送信する。集中電源装置２０は、各々の通信部３４から送信された各々の照明装置３０が発する光の明るさを示す点灯情報を集約し、ライトコントローラ１０に送信する。ライトコントローラ１０は、集中電源装置２０から受信した各々の点灯情報を表示部１１に出力する。
【００８４】
これによれば、表示部１１は各々の照明装置３０が発する光の明るさを示す点灯情報を取得するため、例えば、ユーザは、表示部１１に表示された各々の照明装置３０の発する光の明るさを認識することができる。このため、ユーザは、各々の照明装置３０の点灯情報に基づいて、新たに制御コマンドを設定したりする対応を取ることができる。
【００８５】
（実施の形態２）
図５は、実施の形態２に係る照明システム１ｂを例示するブロック図である。
【００８６】
本実施の形態では、各々の照明装置１３０は、センサの代わりに操作部３５を備える点で、実施の形態１と相違する。また、本実施の形態では、４台の照明装置１３０ａ、１３０ｂ、１３０ｃ、１３０ｄを例示する。照明装置１３０は、照明装置１３０ａ、１３０ｂ、１３０ｃ、１３０ｄの総称である。本実施の形態における他の構成は、特に明記しない場合は、実施の形態と同様であり、同一の構成については同一の符号を付して構成に関する詳細な説明を省略する。
【００８７】
図５に示すように、照明装置１３０は、発光モジュール３１、照明制御部３２、及び、通信部３４の他に、操作部３５を有する。
【００８８】
操作部３５は、発光モジュール３１の発する光の明るさを調節することができる。操作部３５は、閾値である第２明るさ情報を生成し、生成した第２明るさ情報を照明制御部３２に出力する。
【００８９】
照明制御部３２は、制御コマンドに指示される明るさと、取得した第２明るさ情報とに基づいて、発光モジュール３１の点灯を制御する。
【００９０】
詳細には、第２明るさ情報に示される明るさの閾値は、下限閾値である第１閾値と上限閾値である第２閾値のいずれか、または両方を含む。各々の照明制御部３２は、制御コマンドに指示される明るさと、第２明るさ情報に示される明るさとを比較して、発光モジュール３１の点灯を制御する。例えば、制御コマンドに指示される明るさが、第１閾地未満の場合、制御コマンドに指示される明るさよりも明るく点灯するように、照明制御部３２は、発光モジュール３１の発する光を制御する。これにより発光モジュール３１は、制御コマンドに指示される明るさよりも明るく点灯する。反対に、制御コマンドに指示される明るさが、第２閾値以上である場合、制御コマンドに指示される明るさよりも暗く点灯するように、照明制御部３２は、発光モジュール３１の発する光を制御する。これにより発光モジュール３１は、制御コマンドに指示される明るさよりも暗く点灯する。
【００９１】
［動作］
次に、照明システム１ｂ及び照明制御方法の動作について説明する。
【００９２】
図６は、実施の形態２に係る照明システム１ｂの動作を例示するシーケンス図である。実施の形態１における図３と同様の処理については、適宜その説明を省略する。
【００９３】
図６に示すように、集中電源装置２０は、各々の配線に対応した各々の照明装置１３０に電力を供給している状態である。
【００９４】
まず、ライトコントローラ１０は、集中電源装置２０に制御コマンドを送信する（Ｓ１１１ａ）。なお、集中電源装置２０は、制御コマンドを受信してから各々の照明装置１３０に対して電力を供給してもよい。
【００９５】
集中電源装置２０は、取得した制御コマンドを各々の照明装置１３０に送信する（Ｓ１１１ｂ）。
【００９６】
また、各々の照明装置１３０の操作部３５は、閾値である第２明るさ情報を生成し、生成した第２明るさ情報を照明制御部３２に出力する（Ｓ３２）。
【００９７】
各々の照明装置１３０の照明制御部３２は、制御コマンド及び第２明るさ情報を取得すると、制御コマンドに指示される明るさと、取得した第２明るさ情報とに基づいて、発光モジュール３１の点灯を制御する（Ｓ１３３）。そして、照明システム１ｂは、処理を終了する。
【００９８】
次に、照明装置１３０の動作について図７を用いて説明する。図７は、実施の形態２に係る照明装置１３０の動作を例示するフローチャートである。図７では、より詳細に図６のステップＳ３４の処理を説明する。実施の形態１における図４と同様の処理については、適宜その説明を省略する。
【００９９】
図７に示すように、各々の照明装置１３０の操作部３５は、下限閾値である第１閾値と上限閾値である第２閾値とを含む第２明るさ情報を照明制御部３２に出力する。つまり、ユーザの操作によって、照明装置１３０の操作部３５は、第２明るさ情報を設定する（Ｓ３２）。
【０１００】
各々の照明装置１３０は、集中電源装置２０を介して、ライトコントローラ１０から制御コマンドを受信する（Ｓ１１１ｂ）。
【０１０１】
各々の照明装置１３０の照明制御部３２は、制御コマンド及び第２明るさ情報を取得すると、制御コマンドに指示される明るさが第２明るさ情報に示す第１閾値未満であるかどうかを判定する（Ｓ１３３ａ）。
【０１０２】
制御コマンドに指示される明るさが第１閾値未満であれば（Ｓ１３３ａでＹＥＳ）、照明制御部３２は、制御コマンドに指示される明るさよりも明るい第１の明るさで、発光モジュール３１を点灯させる（Ｓ１３３ｂ）。そして、照明装置１３０は処理を終了する。
【０１０３】
制御コマンドに指示される明るさが第１閾値以上であれば（Ｓ１３３ａでＮＯ）、照明制御部３２は、制御コマンドに指示される明るさが第２明るさ情報に示す第２閾値以上であるかどうかを判定する（Ｓ１３３ｃ）。
【０１０４】
制御コマンドに指示される明るさが第２閾値未満であれば（Ｓ１３３ｃでＮＯ）、照明制御部３２は、制御コマンドに指示される明るさで、発光モジュール３１を点灯させる（Ｓ１３３ｄ）。そして、照明装置１３０は処理を終了する。
【０１０５】
制御コマンドに指示される明るさが第２閾値以上であれば（Ｓ１３３ｃでＹＥＳ）、照明制御部３２は、制御コマンドに指示される明るさよりも暗い第２の明るさで、発光モジュール３１を点灯させる（Ｓ１３３ｅ）。そして、照明装置１３０は処理を終了する。
【０１０６】
［作用効果］
次に、本実施の形態における照明装置１３０、照明システム１ｂ及び照明制御方法の作用効果について説明する。
【０１０７】
上述したように、本実施の形態に係る照明システム１ｂは、そして、各々の照明制御部３２は、制御コマンドと第２の明るさ情報とによって、発光モジュール３１の点灯を制御する。複数の照明装置１３０と、各々の照明装置１３０に対して電力を一括して供給する集中電源装置２０と、各々の照明装置１３０が発する光の明るさを指定する制御コマンドを、集中電源装置２０を介して各々の照明装置１３０に送信するライトコントローラ１０とを備える。また、各々の照明装置１３０は、発光モジュール３１と、発光モジュール３１の発する光を制御する照明制御部３２と、発光モジュール３１の発する光の明るさを調節する操作部３５とを有する。そして、各々の照明制御部３２は、制御コマンドと、操作部３５で調節された光の明るさを示す第２明るさ情報とによって発光モジュール３１の点灯を制御する。
【０１０８】
これによれば、照明装置１３０は、制御コマンドのみで明るさが指示されず、制御コマンドに指示される明るさよりも、明るく点灯したり、暗く点灯したりすることができる。このため、各々の照明装置１３０は、周囲の環境に応じて点灯することができる。
【０１０９】
したがって、この照明システム１ｂでは、各々の照明装置１３０が個別に判断することで、各々の照明装置１３０の状態に応じて点灯することができる。
【０１１０】
また、本実施の形態に係る照明制御方法は、複数の照明装置３０が発する光の明るさを指定する制御コマンドを、各々の照明装置１３０に送信することと、操作部３５で調節された光の明るさを示す第２明るさ情報に示される明るさに応じて、制御コマンドに指示される明るさを変化させて、各々の照明装置１３０の点灯を制御することとを含む。
【０１１１】
また照明制御方法においても上述と同様の作用効果を奏する。
【０１１２】
また、本実施の形態に係る照明システム１ｂは、制御コマンドに指示される明るさが第１閾値未満、又は、制御コマンドに指示される明るさが第１閾値よりも大きい第２閾値以上である場合、各々の照明制御部３２は、制御コマンドに指示される明るさを変化させて、発光モジュール３１の点灯を制御する。
【０１１３】
これによれば、制御コマンドに指示される明るさよりも照明装置１３０の周囲が明るければ、照明装置１３０が暗く点灯したり、制御コマンドに指示される明るさよりも照明装置１３０の周囲が暗ければ、照明装置１３０が明るく点灯したりできる。
【０１１４】
このように本実施の形態においても、実施の形態１と同様の作用効果を奏する。
【０１１５】
（その他変形例等）
以上、本開示について、実施の形態１、２に基づいて説明したが、本開示は、上記照明装置、照明システム及び照明制御方法に限定されるものではない。
【０１１６】
例えば、上記実施の形態１、２に係る照明装置、照明システム及び照明制御方法において、所定条件を満たすかどうかの判定において、２つの閾値を用いているが、３つ以上の閾値を用いてもよい。これにより、各々の照明装置が発する光の明るさを、より細かく調節することができる。
【０１１７】
また、上記実施の形態１、２に係る照明装置、照明システム及び照明制御方法において、ライトコントローラは、構成要件として表示部を備えていなくてもよい。
【０１１８】
また、上記実施の形態１、２に係る照明装置、照明システム１ｂ及び照明制御方法において、操作部３５は、タイマ機能を有していてもよい。つまり、任意の時点から所定の期間が経過する、又は、所定の時刻になると、図７に示す処理を発動してもよい。図７に示す処理を発動しない場合、各々の照明装置１３０は、ライトコントローラ１０から取得する制御コマンドに応じて点灯してもよい。
【０１１９】
また、上記実施の形態１、２に係る照明装置、照明システム及び照明制御方法に含まれる各処理部は、典型的に集積回路であるＬＳＩとして実現される。これらは個別に１チップ化されてもよいし、一部又は全てを含むように１チップ化されてもよい。
【０１２０】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１２１】
なお、上記各実施の形態１、２において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１２２】
また、上記で用いた数字は、全て本開示を具体的に説明するために例示するものであり、本開示の実施の形態は例示された数字に制限されない。
【０１２３】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１２４】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１２５】
その他、実施の形態１、２に対して当業者が思いつく各種変形を施して得られる形態、本開示の趣旨を逸脱しない範囲で実施の形態１、２における構成要素及び機能を任意に組み合わせることで実現される形態も本開示に含まれる。
【符号の説明】
【０１２６】
１ａ、１ｂ  照明システム
１０  ライトコントローラ（制御装置）
１１  表示部
２０  集中電源装置
３０、１３０  照明装置
３１  発光モジュール
３２  照明制御部
３３  センサ
３４  通信部
３５  操作部
【図１】
2020098732.tif 000003
【図２】
2020098732.tif 000004
【図３】
2020098732.tif 000005
【図４】
2020098732.tif 000006
【図５】
2020098732.tif 000007
【図６】
2020098732.tif 000008
【図７】
2020098732.tif 000009